(57)【要約】【課題】ケース状構造体の外周部を断面箱型に軽量でありながら強度を高めた外周部構造を有するケース構造体に関する。【解決手段】コーナー部に沿って曲成されたコーナー片本体と、その両端から延長方向に延びる連設片とからなるコーナー部材と、断面チャンネル状の外側ブラケットと、該外側ブラケットに嵌合する断面チャンネル状の内側ブラケットとからなって断面箱型に形成される側壁部とを有し、該側壁部の外側ブラケットの立面に複数の窓孔を穿設してなり、広面板は前記側壁部を構成する外側ブラケット及び内側ブラケットの重なり合った天面及び又は底面に固定具で一体に固定したことを特徴とする。【選択図】図１
0003176433.tif 000002
【実用新案登録請求の範囲】
【請求項１】
ケース構造体の外周部をコーナー片部と断面箱型の側壁部を連結して枠体とし、該枠体の上面及び又は下面を広面板で覆うと共に広面板と側壁部とを固定してなるケース構造体において、
コーナー部に沿って曲成されたコーナー片本体と、該コーナー片本体の両端から延長方向に延びる一対の連設片とからなるコーナー部材と、
断面チャンネル状の外側ブラケットと、該外側ブラケットと開口側を対向させて外側ブラケットに嵌合する断面チャンネル状の内側ブラケットとからなって断面箱型に形成される側壁部とを有し、
該側壁部の外表面となる外側ブラケットの立面に複数の窓孔を穿設してなり、
前記連設片を側壁部の中空内に嵌挿して外側ブラケットの立面の裏面に重ねて固定具で固定して連結し、
広面板を、前記側壁部を構成する外側ブラケット及び内側ブラケットの重なり合った天面及び又は底面に固定具で一体に固定してなることを特徴とするケース構造体。
【請求項２】
コーナー片部を挟んで配置される一対の側壁部のいずれか一方の側壁部の外側ブラケットの天面及び底面に、コーナー片本体の曲成形状に沿った空間に隙間無く嵌合する形状の突出片部を一体に設けると共に、
前記一方の側壁部の内側ブラケットを前記突出片部の長さに対応して延出させる延長部分を設け、
他方の側壁部を、その先端が前記一方の側壁部の内側ブラケットの立面と隙間無く衝合する長さに設定してなることを特徴とする請求項１に記載のケース構造体。
【請求項３】
一方の側壁部の内側ブラケットの立面の延長部分に縦に延びる係止孔を設け、他方の側壁部の内側ブラケットの立面の先端に前記係止孔に挿通される係止片部を突設してなることを特徴とする請求項２に記載のケース構造体。
【請求項４】
外側ブラケット及び又は内側ブラケットの断面チャンネル形状が、天面及び又は底面に形成される広面板連結用の孔を配置した部分を幅広に形成した突出片として断面チャンネル形状とし、その他の部分の全部又は一部は切り欠いてなることを特徴とする請求項１から３に記載のケース構造体。
【請求項５】
外側ブラケットの天面及び又は底面の孔を設けた突出片の先端を掛止部とし、内側ブラケットの立面の上部及び又は下部に前記掛止部を嵌合する段部を形成してなり、
該段部に接して内側ブラケットの天面及び又は底面の孔を設けた突出片を形成してなることを特徴とする請求項４に記載のケース構造体。
【考案の詳細な説明】
【技術分野】
【０００１】
本考案は、軽量で且つ強度の高い外周部構造を有する各種ケースのケース構造体に関するものである。
【背景技術】
【０００２】
従来、例えば実公昭２９−１４８４号公報のトランクでは、２枚の断面弧状の金属製板材からなる連結体において、その連結体の両端に段部を形成し、その段部の高さをトランク主体の厚みを合わせ、トランク主体の端縁と連結体とをリベットにより固定することで、トランク隅角部の補強をはかる構造が開示されている。
しかし、上記構成ではトランク主体は無垢であるため、強度を高めるには厚みを厚くする必要があり、重量も重くなるという欠点があった。
【０００３】
また、実開平２−１０７３２１号公報では、横長の矩形の前面板と、前面板と同形で所要間隔離れて前面板に対置する後面板と、前面板及び後面板の周縁に連結する４面の側板とによって筐状に構成されたケース本体において、各側板は全てアルミ等の金属製で、内壁と外壁がリブにより繋がった２重構造となっていてその中央部は長手方向に２分割されて開離及び閉合が自由となっており、その長手辺の両側縁部は内壁方向へ９０°エルボ状に折曲してその端に前面板及び後面板の側縁部を嵌入させる接合溝を有する縁枠部を一体的に形成されており、側板の長手方向の両端には接合孔が設けられ、各側板は両端に９０°の角度で嵌合突起部を有しこの突起部をそれぞれ隣接する２つの側板の接合孔に嵌合させて各側板の内壁とネジにより固着する角継枠を以て相互に連結したことを特徴とした構成が開示されている。
しかし、上記構成の場合も、同様に直線部材を補強するには、厚みを増やす必要があるが重量も重くなってしまうという欠点があった。
また、いずれの場合も、トランク主体や直線部材の側周面が屈曲した場合には内部空間も変形してしまい、収納物を傷つけるおそれがあった。
【先行技術文献】
【特許文献】
【０００４】
【特許文献１】実公昭２９−１４８４号公報
【特許文献２】実開平２−１０７３２１号公報
【考案の概要】
【考案が解決しようとする課題】
【０００５】
この考案の解決しようとする課題は、ケース状構造体の外周部を断面箱型に軽量でありながら強度を高めた外周部構造を有するケース構造体を提供することにある。
この考案の別の課題は、外表面が損傷しても、収納物を傷つけることがない外周部構造を有するケース構造体を提供することにある。
【課題を解決するための手段】
【０００６】
この考案は、上記課題を解決するために、
ケース構造体の外周部をコーナー片部と断面箱型の側壁部を連結して枠体とし、該枠体の上面及び又は下面を広面板で覆うと共に広面板と側壁部とを固定してなるケース構造体において、
コーナー部に沿って曲成されたコーナー片本体と、該コーナー片本体の両端から延長方向に延びる一対の連設片とからなるコーナー部材と、
断面チャンネル状の外側ブラケットと、該外側ブラケットと開口側を対向させて外側ブラケットに嵌合する断面チャンネル状の内側ブラケットとからなって断面箱型に形成される側壁部とを有し、
該側壁部の外表面となる外側ブラケットの立面に複数の窓孔を穿設してなり、
前記連設片を側壁部の中空内に嵌挿して外側ブラケットの立面の裏面に重ねて固定具で固定して連結し、
広面板を、前記側壁部を構成する外側ブラケット及び内側ブラケットの重なり合った天面及び又は底面に固定具で一体に固定してなることを特徴とする。
【考案の効果】
【０００７】
本考案のケース構造体の外周部は、一対のチャンネル状の構成部材を開口側で対向して嵌合し固着した断面箱型の中空構造からなるので、簡単な構造でケース構造体の強度を高めると共に、軽量化することができ、デザイン性にも優れる。
また、外周部は、外側の構成部材が折れ曲がっても、内側の構成部材は共に折れ曲がることがないので、収納部を傷つける虞が無く、実用性が高い。
【図面の簡単な説明】
【０００８】
【図１】実施例１のケース構造体の取付状態を示す要部の分解斜視図である。
【図２】コーナーの部分断面図である。
【図３】同ケース構造体の組立時の部分断面図である。
【図４】実施例２のケース構造体の組立状態を示す要部の斜視図である。
【図５】実施例２の外周部を構成する一対の構成部材の斜視図である。
【図６】実施例３のケース構造体の組立状態を示す要部の斜視図である。
【図７】実施例３の組立状態の部分平面図である。
【図８】実施例４の異なるコーナー部を示す要部の分解斜視図である。
【図９】実施例４の部分平面図である。
【考案を実施するための形態】
【０００９】
ケース構造体の外周部を、コーナー部材と、一対のチャンネル状の構成部材の、開口側を対向して嵌合固着した断面箱型の外周構成部とで構成することで、強度の強化と軽量化とデザイン性の向上とを実現した。
ここでケース構造体は、トランク、アタッシュケース、各種収納箱や容器、名刺入れなどの各種用途の箱体をいう。
ケース構造体が蓋体と容器本体とからなる場合には、蓋体と容器本体の一方又は双方の外周部の構造を含む。
【実施例１】
【００１０】
実施例１のケース構造体１は、図１〜図３に示すように、その外周部が直線状に延びる側壁部２と、交差方向に配置された一対の側壁部２、２間に介設されて連結する湾曲状のコーナー片部６とからなっている。
【００１１】
［側壁部］
側壁部２は、本実施例では金属製であって、外周部の外側に配置されるチャンネル状の構成部材としての外側ブラケット３と、外周部の内側に配置されるチャンネル状の構成部材としての内側ブラケット５とからなっている。
外側ブラケット３は、その立面３ｂに適宜形状の窓孔４を複数穿設しており、軽量化すると同時に意匠性を高めている。
また、外側ブラケット３には、それぞれ後述の固定具を挿通するために天面３ａに孔Ｈ１を、底面３ｃに孔Ｈ２を適宜間隔で複数穿設している。
【００１２】
内側ブラケット５は、立面５ｂには何の孔も設けずケース構造体１の内部を密封可能としており、その天面５ａに、前記外側ブラケット３に形成された孔Ｈ１と整合するように、孔Ｈ１’を穿設し、底面５ｃに孔Ｈ２と整合するように孔Ｈ２’をそれぞれＨ１、Ｈ２と同じ間隔で複数穿設している。
本実施例では、外側ブラケット３内に内側ブラケット５を嵌合し、前記天面３ａ，５ａと底面３ｃ、５ｃに穿設された孔Ｈ１とＨ１’、孔Ｈ２とＨ２’を整合して断面箱型の側壁部２を組立てている。
【００１３】
［コーナー片部］
コーナー片部６は、ケース構造体１のコーナー部に沿って曲成されたコーナー片本体７と、該コーナー片本体７の両端から段差部Ｄを設けて内側に窪んで延長方向に延びる一対の連設片８、９とからなっている。
図示例の場合、コーナー片本体７は、９０度に曲成され中央の角部が円弧状に面取りされた図示例形状からなっている。
連設片８、９は、それぞれ隣接する側壁部２の中空内に挿入されるもので、前記段差部Ｄは、外側ブラケット３の表面となる立面３ｂがコーナー片本体７と一連となるように立面３ｂの厚み分だけ内側に窪んでいる。
そして、連設片８、９にはそれぞれ固定具挿入用の孔Ｈ３が穿設されており、同様に上記連設片８、９が差し込まれて接する外側ブラケット３の立面３ｂには、前記孔Ｈ３と整合する位置に孔Ｈ４が穿設されている。
【００１４】
［広面板］
前記側壁部２は、コーナー片部６を介して矩形枠を形成するものであり、該矩形枠を覆ってケース構造体となるように、本実施例では上面に広面板１０、下面に広面板１１を固定する。
本実施例で広面板１０、１１は、その外周縁部が前記矩形枠の外周縁部と一致する形状に形成されている。
また、広面板１０、１１には、前記側壁部２の上面（天面３ａ、５ａ）に形成される孔（Ｈ１、Ｈ１’）に対応する位置に連通可能な孔Ｈ５を、側壁部２の下面（天面３ｃ、５ｃ）に形成される孔（Ｈ２、Ｈ２’）に対応する位置に連通可能な孔Ｈ６がそれぞれ穿設されている。
この考案では、広面板はいずれか一方でもよい。
【００１５】
前記広面板１０、１１は薄くて強度を有する素材が好ましいが、この考案では特に限定されない。
例えば、カーボンファイバーを用いたＣＦＲＰ積層板や、カーボン塗装した樹脂板その他の任意の樹脂板や金属板を用いることができる。
【００１６】
［ケース構造体の組立］
図１に示すように、外側ブラケット３に内側ブラケット５を嵌合してそれぞれの天面の孔Ｈ１とＨ１’、底面の孔Ｈ２とＨ２’とを整合し、固定前の側壁部を組み合わせる。
コーナー部の組立に際しては、固定前の側壁部２を９０度変位させた状態で一対に配置しておく。
【００１７】
次に、コーナー片部６の連設片８、９を、それぞれの前記固定前の側壁部の中空内に挿入し、各側壁部２の外側ブラケット３の立面３ｂを段差部Ｄに掛け止め、立面３ｂの裏面に連設片８、９を略隙間無く重ねる。
この際に、連設片８、９の孔Ｈ３と外側ブラケット３の立面３ｂの先端側の孔Ｈ４とを整合させる。
そして、ネジ又はリベットなどの固定具Ｋでコーナー片部６と外側ブラケット３とを固着する（図２参照）。ネジを用いる場合には、ネジはワッシャで緊締する。
【００１８】
次に、広面板１０、１１を固定前の側壁部の上下に配置し、上面となる広面板１０の孔Ｈ５と、側壁部を構成する外側ブラケット３の天面３ａの孔Ｈ１及びその内面に接する内側ブラケット５の天面５ａの孔Ｈ１’とを連通可能に整合し、固定具Ｋとして例えばブラインドリベットを用いて、広面板１０と外側ブラケット３の天面３ａ及び内側ブラケット５の天面５ａとを一体に固定する。
【００１９】
同様に下面となる広面板１１の孔Ｈ６と、側壁部を構成する外側ブラケット３の底面３ｃの孔Ｈ２、及びその内面に接する内側ブラケット５の底面５ｃの孔Ｈ２’とを連通可能に整合し、固定具Ｋのブラインドリベットを用いて、広面板１１と外側ブラケット３の底面３ｃと内側ブラケット５の底面５ｃとを一体に固定する。
これにより外側ブラケット３と内側ブラケット５が固定されて側壁部２が完成すると同時に広面板１０、１１が側壁部２に固定されてケース構造体１も完成する(図３参照）。
【実施例２】
【００２０】
上記実施例１では、広面板を上下に一対設けた場合を例示したが、一方は広面板を設けずに開放し、他方のみに広面板を設けて側壁部２と固定すれば、ケース本体、又は蓋体を組み立てることができる。
そこで、図４には、上下の一方の面を開放したケース構造体１の異なる実施例２を示す。
【００２１】
実施例２のケース構造体１は、コーナー部を挟んで直角に配置される側壁部２の一方(図中右側)の側壁部(説明の便宜上、符号を２Ａとする。）が、その先端にコーナー片部６のコーナー片本体７の上面開口及び底面開口を塞ぐ上下一対の突出片部を有している。
即ち、図示例の場合、外側ブラケット３の天面３ａ及び底面３ｃを延長させて円形の略１／４の形状をした突出片部１３ａ、１３ｃを設けており、立面部分は空間となっている。
同様に内側ブラケット５は前記突出片部１３ａ、１３ｃの突出長さに合わせて天面５ａ、立面５ｂ、底面５ｃをそれぞれ延長した延長部分１５ａ、１５ｂ、１５ｃを設けており、内側ブラケット５を外側ブラケット３に嵌合した際に突出片部１３ａ、１３ｃからはみ出さない形状に形成されている。
図示例では、内側ブラケット５の延長部分の天面１５ａ及び底面１５ｃの先端側は、突出片部１３ａ、１３ｃの先端と整合するように湾曲形成されている。
【００２２】
この突出片部１３ａ、１３ｃは、その縁部がコーナー片本体７の内壁面と隙間無く衝合するようにコーナー片本体７の厚み分だけ切り掛かれており、立面３ｂの先端がコーナー片本体７の段部Ｄと衝合するように位置決めされている。
また、本実施例では、図中上部が底面側を開放し天面側を広面板１０で塞いだケース構造体１（例えば、蓋体）とし、図中下部が上面側を開放し底面側を広面板１１で塞いだケース構造体１’（例えば、ケース本体）とした場合を例示するので、上方のケース構造体１では、上面側の突出片部１３ａには、広面板１０と固着するための孔Ｈ５’が穿設されており、同様に延長部分の天面１５ａにも孔Ｈ５”が穿設されており(図５参照）、広面板１０には前記孔Ｈ５’、Ｈ５”と整合する位置に孔Ｈ５が穿設されており、底面側の突出片部１３ｃ及び延長部分の底面１５ｃには孔が設けられていない(図４参照）。
【００２３】
また、前記側壁部２Ａは、外側ブラケット３及び内側ブラケット５の底面３ａ、５ａには孔Ｈ２、Ｈ２’を設けておらず、天面３ｃ、５ｃ側にだけ孔Ｈ１、Ｈ１’を設けている。
その他の構成は、前記実施例１の側壁部２と同様である。
下方のケース構造体１’では、逆に、下面側の突出片部１３ｃには、広面板１１と固着するための孔Ｈ６’が穿設されており、同様に延長部分の底面１５ｃにも孔Ｈ６”が穿設されており(図５参照）、広面板１１には前記孔Ｈ６’、Ｈ６”と整合する位置に孔Ｈ６が穿設されており、上面側の突出片部１３ａ及び延長部分の天面１５ａには孔が設けられていない(図４参照）。
【００２４】
次に、コーナー片部６の他方（図中左側）に連結される側壁部(説明の便宜上、符号を２Ｂとする。）は、前記突出片部１３ａ、１３ｃを設けていない。
そして、前記側壁部２Ｂの先端は、前記コーナー片部６に固定された側壁部２Ａの内側ブラケット５の延長部分の立面１５ｂと隙間無く衝合しうる長さとなっている。
そして、この側壁部２Ｂも、広面板１０又は１１と連結する側の外側ブラケット３及び内側ブラケット５の底面３ｃ、５ｃ又は天面３ａ、５ａには孔を形成し、広面板を連結しない側の天面３ａ、５ａ又は底面３ｃ、５ｃには孔を形成していない。
【００２５】
その他の構成は、前記実施例１と同様であるので説明を省略する。
図５は、上下に広面板１０及び１１を連結する場合の側壁部２Ａを構成する外側ブラケット３と内側ブラケット５を示す。
この場合は、外側ブラケット３の上下の突出片部１３ａ、１３ｂと内側ブラケット５の延長部分の天面１５ａ及び底面１５ｃにそれぞれ孔Ｈ５’、Ｈ６’が穿設されており、広面板１０及び１１の孔Ｈ５、Ｈ６と整合しうるようになっている。
【００２６】
上記構成からなっているので、広面板１０を連結前の直交する位置に配置された一対の側壁部２、２の上方に配置する。
そして、広面板１０のコーナー部の孔Ｈ５と突出片部１３ａの孔Ｈ５’とを整合して、リベット等固定具Ｋで両者を固着する。
【００２７】
同様に、側壁部を構成する外側ブラケット３の天面３ａの孔Ｈ１と、内側ブラケット５の天面５ａの孔Ｈ１’とを連通可能に整合し、リベット等固定具Ｋで広面板１０と外側ブラケット３の天面３ａと内側ブラケット５の天面５ａとを一体に固定して、下面が開口されたケース構造体１を組み立てることができる。
このケース構造体１を蓋体として用いる場合には、前記構造の上下を逆にして上面が開口したケース構造体１を組み立ててケース本体とし、両者の一端側をヒンジで連結することで、トランクやアタッシュケースのような開閉可能なケース構造体とすることができる。
なお、図５は、側壁部２Ａの外側ブラケット３の上下の突出片部１３ａ、１３ｃ及び内側ブラケット５の延長部分の天面１５ａ及び底面１５ｃに孔Ｈ５’、Ｈ５”、Ｈ６’、Ｈ６”を設けた場合の分解斜視図である。
【実施例３】
【００２８】
図６に示すケース構造体１の側壁部２Ａ、２Ｂは、更に軽量化し簡易構造とした異なる実施例を示す。
この側壁部２Ａは、外側ブラケット３に突出片部１３ａ、１３ｃを有している点で実施例２と同様であり、上下に広面板１０、１１を固定するので、各突出片部１３ａ、１３ｃにそれぞれ孔Ｈ５’、Ｈ６’が穿設されており、また内側ブラケット５の延長部分の天面１５ａ、底面１５ｃにそれぞれ孔Ｈ５”、Ｈ６”が穿設されている。
また、外側ブラケット３の天面３ａ及び底面３ｃにはそれぞれ孔Ｈ１、Ｈ２が穿設されている。
そして、孔Ｈ１、Ｈ２が配置される個所の天面３ａ及び底面３ｃは突出片となって幅広く形成されるが、その他の部分は幅狭に切り欠いて軽量化している。
【００２９】
内側ブラケット５は、図示例の場合、立面５ｂ以外は、孔Ｈ１’、Ｈ２’が配置される個所の天面５ａ及び底面５ｃのみが突出片となって突設された簡略構造からなっている。
そして、前記突出片の天面５ａ及び底面５ｃは、前記外側ブラケット３の突出片の天面３ａ及び底面３ｃと上下方向で内側に重なるようにその厚み分だけ立面５ｂを切り欠いて段部１６とし、該段部１６に沿って突設している。
一方、外側ブラケット３の突出片の天面３ａ及び底面３ｃの先端は、前記段部１６に略隙間無く掛止められるように段部１６の切欠形状に対応した掛止部１７に形成されている。
【００３０】
更に、本実施例では、直交して配置される側壁部２Ａ、２Ｂを相互に係止する係止構造が設けられている。
即ち、コーナー片部６に嵌合する一方の側壁部２Ａの内側ブラケット５の延長部分の立面１５ｂの中途位置に縦に延びる係止孔１８を穿設している。
【００３１】
そして、他方の側壁部２Ｂの内側ブラケット５の立面５ｂの先端に上記係止孔１８に挿入される係止片１９が一体に形成されている。
これにより、ケース構造体の組立時に、コーナー片部６を挟んで隣接する側壁部２相互を係止することができ、連結を強化することができる(図７参照）。
その他の構成は前記実施例に準じるので、その説明を省略する。
【実施例４】
【００３２】
図８及び図９に示すケース構造体１は、コーナー片部６が一対の側壁部２に挟まれず、１つの側壁部２の端部をカバーし、平行する側壁部間に開口を形成する場合の異なる実施例を示す。
このコーナー片部６が連結される側壁部２は１つであり、コーナー片部６のコーナー片本体７が略半円形状に湾曲されており、連設片８、９が平行に延出している点で前記実施例のコーナー片部６と相違しており、内側の連設片９には孔が穿設されていない点で異なる。
【００３３】
これに伴い、外側ブラケット３は、天面３ａ、底面３ｃの突出片部１３ａ、１３ｃの形状がコーナー片本体７の空間に隙間無く嵌合するようにコーナー片本体７の形状に沿って略半円形状に形成されているが、その他の形状は前記実施例と同様であるので、同一構成には同一符号を付して説明を省略する。
【００３４】
また、内側ブラケット５は、立面５ｂと、孔Ｈ１’、Ｈ２’の近傍で突出して天面５ａ、底面５ｃとなる突出片とからなっており、該天面５ａ、底面５ｃ形成個所の立面５ｂには段部１６が形成されている。
また延出部分は立面１５ｂだけが形成されており、前立面１５ｂにも上下に段部１６が形成されている。
なお、本実施例では内側ブラケット５の立面５ｂの内側にも連設片９を重ね合わせており、図示例では両者を固定具で固着していないが、固着してもよい。
また、実施例３の係止構造は、各実施例に追加して設けることもできる。
その他、この考案は上記実施例に限定されず、適宜設計変更しうること勿論である。
【符号の説明】
【００３５】
１    ケース構造体
２    側壁部
３    外側ブラケット
３ａ  天面
３ｂ  立面
３ｃ  底面
４    窓孔
５    内側ブラケット
５ａ  天面
５ｂ  立面
５ｃ  底面
６    コーナー片部
７    コーナー片本体
８、９  連設片
Ｄ    段差部
１０、１１  広面板
１３ａ、１３ｃ  突出片部
１５ａ、１５ｂ、１５ｃ  延長部分
１６    段部
１７    掛止部
１８    係止孔
１９    係止片
Ｈ１    外側ブラケットの天面に穿設された孔
Ｈ１’  内側ブラケットの天面に穿設された孔
Ｈ２    外側ブラケットの底面に穿設された孔
Ｈ２’  内側ブラケットの底面に穿設された孔
Ｈ３    連設片に穿設された孔
Ｈ４    外側ブラケットの立面の先端側に穿設された孔
Ｈ５    上面となる広面板に穿設された孔
Ｈ５’  上面側の突出片部に穿設された孔
Ｈ５”  延長部分の天面に形成された孔
Ｈ６    下面となる広面板に穿設された孔
Ｈ６’  下面側の突出片部に穿設された孔
Ｈ６”  延長部分の底面に形成された孔
【図１】
0003176433.tif 000003
【図２】
0003176433.tif 000004
【図３】
0003176433.tif 000005
【図４】
0003176433.tif 000006
【図５】
0003176433.tif 000007
【図６】
0003176433.tif 000008
【図７】
0003176433.tif 000009
【図８】
0003176433.tif 000010
【図９】
0003176433.tif 000011